(57)【特許請求の範囲】
【請求項１】
管状構造物を表す３次元医用画像から該管状構造物を抽出する管状構造物抽出手段と、
該抽出された前記管状構造物の芯線を抽出する芯線抽出手段と、
該抽出された芯線上の複数の点の各々を視点とする、該芯線上の各点における該芯線に垂直な放射状の視線の各方向における該管状構造物の性状を表す２種類の指標値を算出する指標値算出手段と、
前記芯線の方向における位置を表す第１の座標成分と、前記放射状の視線の方向を表す第２の座標成分とによって規定される座標平面に、前記芯線上の各点において前記視線の各方向について算出された指標値をマッピングすることによって、前記管状構造物内の前記性状を表す性状マップ画像を生成する性状マップ画像生成手段とを備え、
前記性状マップ画像生成手段が、前記第１および第２の座標成分と、前記指標値のうちの一方を表す第３の座標成分とによって規定される座標空間に、前記指標値のうちの一方を前記第３の座標成分の座標値として表し、前記指標値のうちの他方を、色、濃度、模様の少なくとも１つで表した前記性状マップ画像を生成するものであることを特徴とする医用画像処理装置。
【請求項２】
前記座標平面が、前記第１の座標成分と前記第２の座標成分による極座標系で表現されたものであることを特徴とする請求項１に記載の医用画像処理装置。
【請求項３】
前記座標平面が、前記第１の座標成分と前記第２の座標成分による直交座標系で表現されたものであることを特徴とする請求項１に記載の医用画像処理装置。
【請求項４】
前記３次元医用画像から、前記芯線上の所与の基準点を通り、該基準点における前記芯線に垂直な断面による第１の断面画像を生成する第１の断面画像生成手段と、
前記性状マップ画像と前記第１の断面画像とを、前記第１の断面画像における前記基準点に対応する、前記性状マップ画像上の位置を識別可能な態様にして、表示手段に表示させる第１の表示制御手段とをさらに備えたことを特徴とする請求項１から３のいずれか１項に記載の医用画像処理装置。
【請求項５】
前記基準点の位置を変更する基準点変更手段をさらに備え、
前記第１の断面画像生成手段が、該変更後の基準点に基づいて前記第１の断面画像を再生成するものであり、
前記第１の表示制御手段が、該変更後の基準点の位置および該再生成された第１の断面画像に基づいて、前記性状マップ画像と前記断面画像の表示を更新させるものであることを特徴とする請求項４に記載の医用画像処理装置。
【請求項６】
前記３次元医用画像から、前記芯線上の所与の基準点を通り、該基準点における前記芯線に垂直な断面による第２の断面画像を、前記断面と前記芯線の交点を通る前記断面内の所定の直線の前記断面画像中での向きが、該所定の直線に対応する、前記性状マップ画像内の直線の向きと一致するように生成する第２の断面画像生成手段と、
前記性状マップ画像と前記第２の断面画像とを表示手段に表示させる第２の表示制御手段とをさらに備えたことを特徴とする請求項２に記載の医用画像処理装置。
【請求項７】
前記性状マップ画像を、該画像中の芯線を表す点を中心に所与の角度回転させる手段をさらに備え、
前記第２の断面画像生成手段が、既に生成済みの前記第２の断面画像を前記所与の角度回転させた画像を再生成するものであり、
前記第２の表示制御手段が、該回転後の性状マップ画像および第２の断面画像に表示を更新させるものであることを特徴とする請求項６に記載の医用画像処理装置。
【請求項８】
前記第２の断面画像を、該第２の断面画像中の芯線を表す点を中心に所与の角度回転させる手段をさらに備え、
前記性状マップ画像生成手段が、既に生成済みの前記性状マップ画像を前記所与の角度回転させた画像を再生成するものであり、
前記第２の表示制御手段が、該回転後の性状マップ画像および第２の断面画像に表示を更新させるものであることを特徴とする請求項６に記載の医用画像処理装置。
【請求項９】
前記３次元医用画像から、前記芯線の方向における所定の範囲にある前記管状構造物の長手方向の画像を生成する手段と、
前記性状マップ画像と前記長手方向の画像とを、前記性状マップ画像に表されている前記管状構造物の前記芯線方向における範囲であるマップ画像化範囲を前記長手方向の画像中で識別可能な態様にして、表示手段に表示させる第３の表示制御手段とをさらに備えたことを特徴とする請求項１から８のいずれか１項に記載の医用画像処理装置。
【請求項１０】
前記長手方向の画像において前記マップ画像化範囲を変更する第１の画像化範囲変更手段をさらに備え、
前記性状マップ画像生成手段が、該変更後のマップ画像化範囲に基づいて前記性状マップ画像を再生成するものであり、
前記第３の表示制御手段が、該変更後のマップ画像化範囲および該再生成された性状マップ画像に基づいて、前記性状マップ画像と前記長手方向の画像の表示を更新させるものであることを特徴とする請求項９に記載の医用画像処理装置。
【請求項１１】
前記３次元医用画像から、前記芯線の方向における所定の範囲にある前記管状構造物の長手方向の画像を生成する手段と、
前記性状マップ画像と前記長手方向の画像とを、前記長手方向の画像に表されている前記管状構造物の前記芯線方向における範囲である長手方向画像化範囲を前記性状マップ画像中で識別可能な態様にして、表示手段に表示させる第４の表示制御手段とをさらに備えたことを特徴とする請求項１から１０のいずれか１項に記載の医用画像処理装置。
【請求項１２】
前記性状マップ画像において前記長手方向画像化範囲を変更する第２の画像化範囲変更手段をさらに備え、
前記長手方向の画像を生成する手段が、該変更後の長手方向画像化範囲に基づいて前記長手方向の画像を再生成するものであり、
前記第４の表示制御手段が、該変更後の長手方向画像化範囲および該再生成された長手方向の画像に基づいて、前記性状マップ画像と前記長手方向の画像の表示を更新させるものであることを特徴とする請求項１１に記載の医用画像処理装置。
【請求項１３】
前記指標値算出手段が、前記管状構造物の領域のうち、前記性状マップ画像の生成対象の領域全体についての前記管状構造物の性状を表す指標値をさらに算出するものであることを特徴とする請求項１から１２のいずれか１項に記載の医用画像処理装置。
【請求項１４】
前記管状構造物が血管であることを特徴とする請求項１から１３のいずれか１項に記載の医用画像処理装置。
【請求項１５】
前記管状構造物が冠動脈であることを特徴とする請求項１４に記載の医用画像処理装置。
【請求項１６】
前記指標値が前記管状構造物の狭窄率であることを特徴とする請求項１から１５のいずれか１項に記載の医用画像処理装置。
【請求項１７】
前記指標値がプラークの性状を表すものであることを特徴とする請求項１４または１５に記載の医用画像処理装置。
【請求項１８】
管状構造物を表す３次元医用画像から該管状構造物を抽出し、
該抽出された前記管状構造物の芯線を抽出し、
該抽出された芯線上の複数の点の各々を視点とする、該芯線上の各点における該芯線に垂直な放射状の視線の各方向における該管状構造物の性状を表す２種類の指標値を算出し、
前記芯線の方向における位置を表す第１の座標成分と、前記放射状の視線の方向を表す第２の座標成分とによって規定される座標平面に、前記芯線上の各点において前記視線の各方向について算出された指標値をマッピングすることによって、前記管状構造物内の前記性状を表す性状マップ画像を生成して、
前記第１および第２の座標成分と、前記指標値のうちの一方を表す第３の座標成分とによって規定される座標空間に、前記指標値のうちの一方を前記第３の座標成分の座標値として表し、前記指標値のうちの他方を、色、濃度、模様の少なくとも１つで表した前記性状マップ画像を生成することを特徴とする医用画像処理方法。
【請求項１９】
コンピュータを、
管状構造物を表す３次元医用画像から該管状構造物を抽出する管状構造物抽出手段と、
該抽出された前記管状構造物の芯線を抽出する芯線抽出手段と、
該抽出された芯線上の複数の点の各々を視点とする、該芯線上の各点における該芯線に垂直な放射状の視線の各方向における該管状構造物の性状を表す２種類の指標値を算出する指標値算出手段と、
前記芯線の方向における位置を表す第１の座標成分と、前記放射状の視線の方向を表す第２の座標成分とによって規定される座標平面に、前記芯線上の各点において前記視線の各方向について算出された指標値をマッピングすることによって、前記管状構造物内の前記性状を表す性状マップ画像を生成する性状マップ画像生成手段として機能させるものであって、
前記性状マップ画像生成手段が、前記第１および第２の座標成分と、前記指標値のうちの一方を表す第３の座標成分とによって規定される座標空間に、前記指標値のうちの一方を前記第３の座標成分の座標値として表し、前記指標値のうちの他方を、色、濃度、模様の少なくとも１つで表した前記性状マップ画像を生成するものであることを特徴とする医用画像処理プログラム。
【発明の詳細な説明】
【技術分野】
【０００１】
本発明は、３次元医用画像中の管状構造物の性状を表す画像を生成する医用画像処理技術に関するものである。
【背景技術】
【０００２】
医療現場におけるマルチスライスＣＴの普及に伴い、医用画像解析技術が急速に発展している。例えば、心臓領域においては、より短時間で心臓全体を撮影することが可能になり、心臓の動きによるアーチファクトがほとんどない画像を取得することができるようになった。そのため、心臓領域の画像診断においては、冠動脈の狭窄部位のより詳細な診断が可能となってきている。冠動脈の観察では、一般的に観察対象の冠動脈の中心線を指定し、その中心線に沿って、血管の中心線に直交する断面を表す直交断面画像を観察したり、ＣＰＲ（Curved Planar Reformation）技術を用いて、血管の中心線に沿った断面を表す画像を観察したりする方法が知られている（例えば、特許文献１）。その際、医師が観察するのは、血管のどの位置に、どのような種類の狭窄が存在するのかということである。血管が詰まる原因としては、完全に石灰化した領域が血管をふさいでいる場合（ハードプラーク）と、脂肪のような軟質の組織が血管をふさいでいる場合（ソフトプラーク）とがある。ＣＴ画像では、前者は通常の血管内腔のＣＴ値より高い信号値として判別でき、後者は通常の血管内腔のＣＴ値より低い信号値として確認できる。
【先行技術文献】
【特許文献】
【０００３】
【特許文献１】特開２００９−１９５５６１号公報
【発明の概要】
【発明が解決しようとする課題】
【０００４】
このような血管の観察の結果、特定のプラークが血管内で発見された場合、医師は、そのプラークの付近におけるプラークの３次元分布を観察する必要がある。その際、血管の直交断面画像を観察対象としている場合、その直交断面の位置を血管の中心線に沿って前後させて観察する必要がある。一方、血管のＣＰＲ画像を観察対象としている場合、中心線を回転軸としてその断面を回転させて観察する必要がある。
【０００５】
すなわち、血管の直交断面画像では、その直交断面の位置におけるプラークの分布や狭窄の状態を血管の全周方向で把握することができるが、血管の中心線に沿った奥行き方向にどのようにプラークが存在していて、どのように血管が細くなっているのかを観察することは困難である。また、血管のＣＰＲ画像では、血管の中心線に沿った奥行き方向におけるプラークの分布や狭窄の状態が表されているものの、それは血管の中心線に沿った特定の断面での状態であり、血管の全周にわたってプラークがどのように分布していて、どのように血管が細くなっているかは観察できない。
【０００６】
本発明は上記事情に鑑みてなされたものであり、３次元医用画像中の管状構造物の性状を一目瞭然に視認可能にする医用画像処理装置および方法、並びにプログラムを提供することを目的とするものである。
【課題を解決するための手段】
【０００７】
本発明の医用画像処理装置は、管状構造物を表す３次元医用画像から該管状構造物を抽出する管状構造物抽出手段と、該抽出された前記管状構造物の芯線を抽出する芯線抽出手段と、該抽出された芯線上の複数の点の各々を視点とする、該芯線上の各点における該芯線に垂直な放射状の視線の各方向における該管状構造物の性状を表す指標値を算出する指標値算出手段と、前記芯線の方向における位置を表す第１の座標成分と、前記放射状の視線の方向を表す第２の座標成分とによって規定される座標平面に、前記芯線上の各点において前記視線の各方向について算出された指標値をマッピングすることによって、前記管状構造物内の前記性状を表す性状マップ画像を生成する性状マップ画像生成手段とを設けたことを特徴とする。
【０００８】
本発明の医用画像処理方法は、コンピュータが、管状構造物を表す３次元医用画像から、該管状構造物を抽出し、該抽出された前記管状構造物の芯線を抽出し、該抽出された芯線上の複数の点の各々を視点とする、該芯線上の各点における該芯線に垂直な放射状の視線の各方向における該管状構造物の性状を表す指標値を算出し、前記芯線の方向における位置を表す第１の座標成分と、前記放射状の視線の方向を表す第２の座標成分とによって規定される座標平面に、前記芯線上の各点において前記視線の各方向について算出された指標値をマッピングすることによって、前記管状構造物内の前記性状を表す性状マップ画像を生成することを特徴とする。
【０００９】
本発明の医用画像処理プログラムは、コンピュータを上記医用画像処理装置の各手段として機能させるものである。
【００１０】
ここで、管状構造物の具体例としては冠動脈等の血管が挙げられる。
【００１１】
管状構造物の性状を表す指標値の具体例としては、その管状構造物の狭窄率や、その管状構造物の内部のプラークの性状を表す指標値等が挙げられる。
【００１２】
また、上記各視線方向における指標値とともに、管状構造物の領域のうち、性状マップ画像の生成対象の領域全体についての管状構造物の性状を表す指標値をさらに算出するようにしてもよい。例えば、性状マップ画像生成対象領域全体における平均狭窄率や、プラークの体積等が挙げられる。
【００１３】
また、指標値の算出の際に２種類の指標値を算出するようにしてもよい。この場合、第１および第２の座標成分と、算出された指標値のうちの一方を表す第３の座標成分とによって規定される座標空間に、その一方の指標値を第３の座標成分の座標値として表し、他方の指標値を、色、濃度、模様の少なくとも１つで表した性状マップ画像を生成するようにしてもよい。
【００１４】
性状マップ画像の生成の際の座標平面は、第１の座標成分と第２の座標成分による、極座標系で表現されたものであってもよいし、直交座標系で表現されたものであってもよい。
【００１５】
また、本発明において、管状構造物を表す他の画像をさらに生成するようにし、生成された画像と性状マップ画像とを連携表示させるようにしてもよい。
【００１６】
具体的には、３次元医用画像から、上記芯線上の所与の基準点を通り、その基準点における芯線に垂直な断面による第１の断面画像を生成し、性状マップ画像と第１の断面画像とを、第１の断面画像における基準点に対応する、性状マップ画像上の位置を識別可能な態様にして、表示手段に表示させるようにしてもよい。
【００１７】
さらに、基準点の位置を自動または手動で変更できるようにし、変更後の基準点に基づいて第１の断面画像を再生成し、変更後の基準点の位置および再生成された第１の断面画像に基づいて、性状マップ画像と断面画像の表示を更新させるようにしてもよい。
【００１８】
また、性状マップ画像が極座標系に基づいて生成されたものである場合には、３次元医用画像から、上記芯線上の所与の基準点を通り、その基準点における芯線に垂直な断面による第２の断面画像を、その断面と芯線の交点を通る断面内の所定の直線の、第２の断面画像中での向きが、その所定の直線に対応する、性状マップ画像内の直線の向きと一致するように生成するようにし、性状マップ画像と第２の断面画像とを表示手段に表示させるようにしてもよい。
【００１９】
さらに、性状マップ画像を、自動または手動により、画像中の芯線を表す点を中心に所与の角度回転できるようにし、これに応じて、既に生成済みの第２の断面画像をその角度回転させた画像を再生成するようにし、回転後の性状マップ画像および第２の断面画像に表示を更新させるようにしてもよい。
【００２０】
逆に、第２の断面画像を、自動または手動により、第２の断面画像中の芯線を表す点を中心に所与の角度回転できるようにし、これに応じて、既に生成済みの性状マップ画像をその角度回転させた画像を再生成するようにし、回転後の性状マップ画像および第２の断面画像に表示を更新させるようにしてもよい。
【００２１】
また、３次元医用画像から、上記芯線の方向における所定の範囲にある管状構造物の長手方向の画像を生成し、生成された長手方向の画像と性状マップ画像とを、性状マップ画像に表されている管状構造物の芯線方向における範囲（マップ画像化範囲）を長手方向の画像中で識別可能な態様にして、表示手段に表示させるようにしてもよい。ここで、管状構造物の長手方向の画像の具体例としては、ＣＰＲ手法によって生成される、管状構造物の芯線に沿った断面を表すＣＰＲ画像等が挙げられる。さらに、上記長手方向の画像においてマップ画像化範囲を自動または手動で変更できるようにし、変更後のマップ画像化範囲に基づいて性状マップ画像を再生成し、変更後のマップ画像化範囲および再生成された性状マップ画像に基づいて、性状マップ画像と上記長手方向の画像の表示を更新させるようにしてもよい。
【００２２】
逆に、生成された長手方向の画像と性状マップ画像とを、長手方向の画像に表されている管状構造物の芯線方向における範囲（長手方向画像化範囲）を性状マップ画像中で識別可能な態様にして、表示手段に表示させるようにしてもよい。さらに、上記性状マップ画像において長手方向画像化範囲を自動または手動で変更できるようにし、変更後の長手方向画像化範囲に基づいて長手方向の画像を再生成し、変更後の長手方向画像化範囲および再生成された長手方向の画像に基づいて、性状マップ画像と上記長手方向の画像の表示を更新させるようにしてもよい。
【発明の効果】
【００２３】
本発明によれば、３次元医用画像から抽出された管状構造物の芯線上の複数の点の各々を視点とする、芯線上の各点における芯線に垂直な放射状の視線の各方向における管状構造物の性状を表す指標値を算出し、上記芯線の方向における位置を表す第１の座標成分と、上記放射状の視線の方向を表す第２の座標成分とによって規定される座標平面に、芯線上の各点において視線の各方向について算出された指標値をマッピングすることによって、管状構造物内の性状を表す性状マップ画像を生成することができる。これにより、３次元医用画像中の管状構造物の性状を、性状マップ画像を用いて一目瞭然に視認可能となるので、管状構造物を表す従来の画像（直交断面画像やＣＰＲ画像）を用いて観察する場合のように、表示範囲を変更して複数の画像を観察する手間が軽減される。このように、本発明によって、画像を用いて管状構造物の性状を観察する際の効率が向上する。
【００２４】
また、本発明において、２種類の指標値を算出し、各指標値を、上記第１および第２の座標成分と、算出された指標値のうちの一方を表す第３の座標成分とによって規定される座標空間に表した性状マップ画像を生成するようにした場合には、複数の指標値を用いて、管状構造物の性状を多面的に観察することが可能になり、観察精度の向上に資する。
【００２５】
また、本発明において、管状構造物を表す他の画像（直交断面画像や長手方向を表す画像等）をさらに生成し、生成された他の画像と性状マップ画像とを連携表示させるようにした場合には、例えば、管状構造物を表す他の画像と性状マップ画像の一方の観察で注目した位置を他方の画像でも観察することにより、管状構造物のより精緻な観察が可能になる。
【図面の簡単な説明】
【００２６】
【図１】本発明の実施の形態となる医用画像処理装置が導入された医用画像診断システムの概略構成図
【図２】本発明の第１から第３の実施形態における医用画像処理機能を実現する構成および処理の流れを模式的に示したブロック図
【図３】本発明の第１から第３の実施形態における医用画像診断システムを用いた医用画像処理の流れを表したフローチャート
【図４】冠動脈、芯線、芯線上の各点からの視線を模式的に表した図
【図５Ａ】冠動脈のプラークの種類を表す指標値の算出方法を説明するための冠動脈の直交断面図
【図５Ｂ】冠動脈の狭窄率を表す指標値の算出方法を説明するための冠動脈の直交断面図
【図６Ａ】指標値がマッピングされる極座標系による座標平面を表した図
【図６Ｂ】指標値がマッピングされる直交座標系による座標平面を表した図
【図７Ａ】極座標系による性状マップ画像の一例を模式的に表した図
【図７Ｂ】直交座標系による性状マップ画像の一例を模式的に表した図
【図８Ａ】２つの特徴量をマッピングした性状マップ画像の第１の例を模式的に表した図
【図８Ｂ】２つの特徴量をマッピングした性状マップ画像の第２の例を模式的に表した図
【図９】本発明の第４の実施形態における医用画像処理機能を実現する構成および処理の流れを模式的に示したブロック図
【図１０】本発明の第４の実施形態における医用画像診断システムを用いた医用画像処理の流れを表したフローチャート
【図１１】冠動脈の直交断面画像の一例を模式的に表した図
【図１２Ａ】極座標系による性状マップ画像中に直交断面画像の位置を重畳表示した例を表した図
【図１２Ｂ】直交座標系による性状マップ画像中に直交断面画像の位置を重畳表示した例を表した図
【図１３】本発明の第５の実施形態における医用画像処理機能を実現する構成および処理の流れを模式的に示したブロック図
【図１４】本発明の第５の実施形態における医用画像診断システムを用いた医用画像処理の流れを表したフローチャート
【図１５】冠動脈のＣＰＲ画像に性状マップ画像の画像化範囲を重畳表示した例を表した図
【図１６】本発明の第６の実施形態における医用画像処理機能を実現する構成および処理の流れを模式的に示したブロック図
【図１７】本発明の第６の実施形態における性状マップ画像と直交断面画像とＣＰＲ画像の表示例を模式的に表した図
【図１８】マップ画像化範囲と直交断面の位置関係を設定するためのユーザインターフェースの一例を表した図
【図１９】直交断面の前方の性状マップを重点的に表示した例を表す図
【図２０】注目点の指定に伴う各画像の更新の様子を模式的に表した図
【図２１Ａ】本発明の第６の実施形態における直交座標系による性状マップ画像を表した図
【図２１Ｂ】直交座標系による性状マップ画像で直交断面の前方の性状マップを重点的に表示した例を表す図
【図２１Ｃ】注目点の指定に伴う直交座標系による性状マップ画像の更新の様子を模式的に表した図
【図２２Ａ】極座標系による性状マップ画像中でマップ画像化範囲を変更する操作を模式的に表した図
【図２２Ｂ】直交座標系による性状マップ画像中でマップ画像化範囲を変更する操作を模式的に表した図
【発明を実施するための形態】
【００２７】
以下、人体の冠動脈のプラークの性状を観察する場合を例にして、本発明の実施の形態となる医用画像処理装置が導入された医用画像診断システムについて説明する。
【００２８】
図１は、この医用画像診断システムの概要を示すハードウェア構成図である。図に示すように、このシステムでは、モダリティ１と、画像保管サーバ２と、画像処理ワークステーション３とが、ネットワーク９を経由して通信可能な状態で接続されている。
【００２９】
モダリティ１には、被検体の検査対象部位を撮影することにより、その部位を表す３次元医用画像の画像データを生成し、その画像データにＤＩＣＯＭ（Digital Imaging and Communications in Medicine）規格で規定された付帯情報を付加して、画像情報として出力する装置が含まれる。具体例としては、ＣＴ、ＭＲＩなどが挙げられる。本実施形態では、ＣＴで被検体である人体の体軸方向にスキャンすることによって人体の胸部の３次元画像データを生成する場合について説明する。
【００３０】
画像保管サーバ２は、モダリティ１で取得された医用画像データや画像処理ワークステーション３での画像処理によって生成された医用画像の画像データを画像データベースに保存・管理するコンピュータであり、大容量外部記憶装置やデータベース管理用ソフトウェア（たとえば、ＯＲＤＢ（Object Relational Database）管理ソフトウェア）を備えている。
【００３１】
画像処理ワークステーション３は、本発明の医用画像処理装置として機能する。読影者からの要求に応じて、モダリティ１や画像保管サーバ２から取得した医用画像データに対して画像処理（画像解析を含む）を行い、生成された画像を表示するコンピュータであり、ＣＰＵ，主記憶装置、補助記憶装置、入出力インターフェース、通信インターフェース、入力装置（マウス、キーボード等）、表示装置（ディスプレイモニタ）、データバス等の周知のハードウェア構成を備え、周知のオペレーティングシステム等がインストールされたものである。本発明の医用画像処理は、ＣＤ−ＲＯＭ等の記録媒体からインストールされたプログラムを実行することによって実現される。また、このプログラムは、インターネット等のネットワーク経由で接続されたサーバの記憶装置からダウンロードされた後にインストールされたものであってもよい。
【００３２】
画像データの格納形式やネットワーク９経由での各装置間の通信は、ＤＩＣＯＭ等のプロトコルに基づいている。
【００３３】
図２は、画像処理ワークステーション３の機能のうち、本発明の第１の実施形態となる医用画像処理に関連する部分を示すブロック図である。図に示すように、本実施形態における医用画像処理は、冠動脈抽出部３１、芯線抽出部３２、指標値算出部３３、マップ画像生成部３４、表示制御部３５によって実現される。また、３次元医用画像Ｖ、冠動脈情報CA、芯線情報CL、指標値IDXm,n、性状マップ画像IMは、各々、上記各処理部によって、画像処理ワークステーション３の所定のメモリ領域に対して読み書きされるデータである。
【００３４】
次に、本発明の第１の実施形態となる医用画像処理を用いた画像診断の流れに沿って、上記各処理部の処理内容の詳細について説明する。図３は、本実施形態における医用画像処理ソフトウェアの実行下でのユーザの操作や、演算処理、表示処理等の流れを示したフローチャートである。
【００３５】
まず、画像処理ワークステーション３は３次元医用画像Ｖの画像データを取得する(#1)。この３次元医用画像データＶは、モダリティ１で撮影され、画像保管サーバ２に保管されたものであり、画像処理ワークステーション３からの検索要求に応じて、画像保管サーバ２によるデータベース検索によって抽出され、画像処理ワークステーション３に送信されたものである。
【００３６】
冠動脈抽出部３１は、３次元医用画像データＶを読み込み、３次元医用画像Ｖ中の冠動脈を抽出し、抽出結果を表す冠動脈情報CAとして、画像処理ワークステーション３の所定のメモリ領域に格納する(#2)。また、芯線抽出部３２は、冠動脈情報CAを読み込み、冠動脈の芯線を抽出し、抽出結果を表す芯線情報CLとして、画像処理ワークステーション３の所定のメモリ領域に格納する(#3)。
【００３７】
ここで、冠動脈CAおよびその芯線CLの抽出には公知の手法を実装することができる。例えば、３次元医用画像Ｖから、心筋等を表すＣＴ値による閾値処理によって心臓領域を抽出した後、心臓領域を表す３次元医用画像に対して多重解像度変換を行い、各解像度の画像に対してヘッセ行列の固有値解析を行い、各解像度の画像における解析結果を統合することによって、３次元医用画像Ｖ中の様々なサイズの線構造（血管）を抽出する（Y Sato, et al.、「Three-dimensional multi-scale line filter for segmentation and visualization of curvilinear structures in medical images.」、Medical Image Analysis、1998年6月、Vol.2、No.2、p.p.143-168等参照）。そして、最小全域木アルゴリズム等を用いて、抽出された各線構造の中心点を連結することにより、冠動脈CAを表す木構造のデータが得られる。このとき、中心点を結ぶ線が冠動脈CAの芯線CLとなる。さらに、抽出された冠動脈CAの芯線CL上の各点（木構造データの各ノード）において、芯線CLに直交する断面を求め、各断面において、Graph-Cuts法等の公知のセグメンテーション手法を用いて冠動脈CAの輪郭を認識し、その輪郭を表す情報を木構造データの各ノードに関連づける。
【００３８】
なお、上記の手法では冠動脈CAおよび芯線CLの抽出は一体的に行われるが、各抽出処理が個別に行われる手法を用いてもよい。例えば、冠動脈抽出部３１が、ユーザによって冠動脈上に設定されたシード点からの領域拡張法等に基づいて冠動脈領域CAを抽出し、芯線抽出部３２が冠動脈領域CAに対して公知の細線化処理を行うことによって芯線CLを抽出するようにしてもよい。また、上記の手法によって抽出された冠動脈CAや芯線CLを手動修正するためのユーザインターフェースをさらに設けてもよい。
【００３９】
指標値算出部３３は、３次元医用画像データＶ、冠動脈情報CA、芯線情報CLを読み込み、図４に模式的に表したように、冠動脈CAの芯線CL上の複数の点Pm(m=0,1,2,・・・,M)の各々を視点とする放射状の視線VLn(n=0,1,2,・・・,N-1)の各方向における、冠動脈の性状を表す指標値IDXm,nを算出し、画像処理ワークステーション３の所定のメモリ領域に格納する(#4)。ここで、芯線CL上の各点Pmにおける各視線VLnは、その点を通って芯線CLに直交する断面上にある。芯線CLは全体としては曲線であるから、各点Pmの近傍の微小区間を直線区間と近似し、その区間で近似された直線に直交する方向を芯線CLに直交する方向とすればよい。例えば、点Pmにおける芯線CLの方向は、前後の点Pm-1およびPm+1を通る直線の向きとすることができる。また、指標値IDXm,nは、芯線CLの方向における位置を表す情報、および、その位置での視線の方向を表す情報と関連づけられている。
【００４０】
本実施形態では、冠動脈の性状を表す指標値IDXm,nの具体例として、プラークの種類を示す指標値が算出される。すなわち、冠動脈内を表すＣＴ値には「ハードプラーク＞内腔＞ソフトプラーク」という関係があるので、冠動脈内の信号値を用いることによってプラークの種類を識別することができる。図５Ａは、冠動脈の芯線CL上の点Pmにおける直交断面を模式的に表したものである。指標値算出部３３は、各点Pmを視点とするN本の放射状の視線VL0からVLN-1の各々について、視点Pmから冠動脈の輪郭CAまでの平均信号値をプラークの種類を表す指標値IDXm,nとして算出する。この指標値IDXm,nの値が内腔を表す値よりも大きい領域はハードプラークが存在することを意味し、この値が内腔を表す値よりも小さい領域はソフトプラークが存在することを意味する。あるいは、各視線VLnにおける視点Pmから冠動脈の輪郭CAまでの信号値の最大値をハードプラークの指標値IDXm,nとして算出してもよいし、各視線VLnにおける視点Pmから冠動脈の輪郭CAまでの信号値の最小値をソフトプラークの指標値IDXm,nとして算出してもよい。さらに、画像中のノイズの影響を避けるために、上記最大値および最小値の代わりに、例えば９０パーセンタイル値や１０パーセンタイル値を算出するようにしてもよい。
【００４１】
そして、マップ画像生成部３４は、指標値IDXm,nを読み込み、冠動脈CAの芯線CLの方向における位置をｘ座標成分、芯線CL上の各点での放射状の視線VLnの方向をｙ座標成分とする座標平面に、指標値IDXm,nをマッピングすることによって、冠動脈CL内の性状を表す性状マップ画像IMを生成し、画像処理ワークステーション３の所定のメモリ領域に格納する(#5)。本実施形態では、ｘ座標成分を芯線CL上の各点Pmと点P0の間の芯線CLに沿った距離xmで表し、ｙ座標成分を各視線VLnがVL0となす角θnで表している。図６Ａは、本実施形態において指標値IDXm,nがマッピングされる極座標系による座標平面の一例を表したものである。図に示したように、ｘ座標成分は原点Ｏを中心とする円の半径で表され、ｙ座標成分は基準軸y0からの反時計回りの回転角で表されている。マップ画像生成部３４は、図５Ａに示された、点P0からの距離がxmである点Pmを視点とする、視線VL0となす角がθnである視線VLnでの指標値IDXm,nを、原点Ｏから半径xmの円周上で、基準軸y0からの反時計回りの回転角の大きさがθnの点Pm,nにマッピングする。図７Ａは、このようにして、芯線上の各点Pmでの各視線VLnの方向における指標値IDXm,nをマッピングすることによって生成された性状マップ画像IMの一例を模式的に表したものである。図に示したように、指標値IDXm,nが、その値の範囲に応じて異なる色や濃度、模様等を用いてマッピングされている。なお、性状マップ画像IMの芯線CLの方向における画像化範囲の初期値は、プログラムの起動パラメータ等により、予め与えるようにすればよい。
【００４２】
表示制御部３５は、性状マップ画像IMを読み込み、画像処理ワークステーション３のディスプレイモニタの所定の位置に表示させる(#6)。
【００４３】
以上のように、本発明の第１の実施形態によれば、指標値算出部３３が、３次元医用画像Ｖから抽出された冠動脈CAの芯線CL上の複数の点Pmの各々を視点とする、芯線CL上の各点Pmにおける芯線CLに垂直な放射状の視線VLnの各方向における冠動脈CAの性状を表す指標値IDXm,nを算出し、マップ画像生成部３４が、芯線CLの方向における位置を表す第１の座標成分と、上記放射状の視線VLnの方向を表す第２の座標成分とによって規定される座標平面に、芯線CL上の各点Pmにおいて視線VLnの各方向について算出された指標値IDXm,nをマッピングすることによって、冠動脈CA内の性状を表す性状マップ画像IMを生成する。これにより、３次元医用画像Ｖ中の冠動脈CAの性状を、性状マップ画像IMを用いて一目瞭然に視認可能となるので、冠動脈CAを表す従来の画像（直交断面画像やＣＰＲ画像）を用いて観察する場合のように、表示範囲を変更して複数の画像を観察する手間が軽減され、管状構造物の性状の画像を用いた観察の際の効率が向上する。
【００４４】
また、図６Ａおよび図７Ａに示した極座標系による性状マップ画像IMは、座標平面上での円周方向における位置関係が、冠動脈CAの芯線CLに直交する断面における冠動脈CAの輪郭（外周）方向における位置関係と一致するので、冠動脈CAの芯線CLに直交する断面を表す直交断面画像に近い位置感覚で冠動脈CAの性状（プラークの分布）を観察することが可能になる。
【００４５】
上記実施形態では、冠動脈CAの性状を表す指標値IDXm,nとして、プラークの種類を表す指標値を用いたが、他の具体例としては冠動脈の狭窄率が挙げられる。具体的には、図５Ｂに模式的に示したように、指標値算出部３３は、まず、点Pmを視点とするN本の放射状の視線VL0からVLN-1の各々について、視点Pmから冠動脈の輪郭CAに向かって探索を行い、内腔を表す信号値とプラークを表す信号値の境界の位置を求める。図５Ｂでは、この境界を曲線で結んだものを冠動脈の内輪郭CAin、冠動脈の抽出時に求められた外側の輪郭をCAoutと表している。指標値算出部３３は、各視線VLnについて、
（外径PmCAoutの長さ−内径PmCAinの長さ）×100／外径PmCAoutの長さ
の値を狭窄率として算出する。あるいは、各視線VLn上の探索点について、
プラークを表す信号値を有する探索点の数×100／その視線上の全探索点の数
の値を狭窄率として算出してもよい。
【００４６】
本発明の第２の実施形態は、直交座標系による座標平面に指標値をマッピングした性状マップ画像を生成する態様であり、ブロック図およびフローチャートは第１の実施形態と同様である。
【００４７】
図６Ｂは、本実施形態において指標値IDXm,nがマッピングされる直交座標系による座標平面の一例を表したものである。図に示したように、芯線CL上の各点Pmと点P0の間の芯線CLに沿った距離xmがｘ軸上に表され、各視線VLnがVL0となす角θnがｙ軸上に表されている。ここで、角θnは、視線VL0から反時計回りに0度から180度までの値を取り、視線VL0から時計回りに0度から-180度までの値を取る。したがって、本実施形態では、マップ画像生成部３４は、図５Ａに示された、点P0からの距離がxmである点Pmを視点とする、視線VL0となす角がθn（0度≦θn≦180度）である視線VLnでの指標値IDXm,nを、座標値が（xm，θn）の点Pm,nにマッピングする。また、点P0からの距離がxmである点Pmを視点とする、視線VL0となす角がθN-1（0度≧θN-1≧-180度）である視線VLN-1での指標値IDXm,nを、座標値が（xm，θN-1）の点Pm,N-1にマッピングする。図７Ｂは、このようにして、芯線上の各点Pmでの各視線VLnの方向における指標値IDXm,nをマッピングすることによって生成された性状マップ画像IMの一例を模式的に表したものである。なお、この座標平面の例では、各視線VLnがVL0となす角θnが-180度から180度の値の範囲となるように原点Ｏを定めているが、例えば、この角θnが0度から360度の値の範囲となるように原点Ｏを定めるようにしてもよい。
【００４８】
このように本発明の第２の実施形態では、図６Ｂおよび図７Ｂ等に示した直交座標系による性状マップ画像IMが生成されるので、冠動脈CAの血管壁を芯線CLに沿って切り開いて血管内部を表した状態で、冠動脈CAの性状（プラークの分布）を一目瞭然に観察することが可能になる。また、冠動脈CAの芯線CL上の各点Pmにおける各視線VLnがVL0となす角θnをｙ軸としているので、各点Ｐmにおける冠動脈CAの太さが正規化された状態での観察が可能になる。
【００４９】
本発明の第３の実施形態は、２つの指標値がマッピングされた性状マップ画像を生成する態様であり、ブロック図およびフローチャートは第１の実施形態と同様である。
【００５０】
本実施形態では、指標値算出部３３は、プラークの種類を表す指標値IDX1m,nと狭窄率を表す指標値IDX2m,nの両方を算出する。そして、マップ画像生成部３４は、２つの指標値のうちの一方（例えば、プラークの種類を表す指標値IDX1m,n）を第１または第２の実施形態と同様にマッピングするとともに、他方の指標値（例えば、狭窄率を表す指標値IDX2m,n）を、第１または第２の実施形態で示した座標平面に垂直な高さ方向を表すｚ軸の座標値としてマッピングすることによって、２つの指標値IDX1m,n、IDX2m,nがマッピングされた性状マップ画像IMを生成する。図８Ａは、図７Ａの極座標系による座標平面に対して高さ方向を表すｚ軸を追加した性状マップ画像の一例を表したものであり、図８Ｂは、図７Ｂの直交座標系による座標平面に対して高さ方向を表すｚ軸を追加した性状マップ画像の一例を表したものである。各図に示したように、本実施形態では、性状マップ画像は、例えば狭窄率をｚ軸方向の高さとして等高線やメッシュ等を用いて表した擬似３次元的なグラフに、プラークの分布を表す色を付したものとなる。
【００５１】
以上のように、本発明の第３の実施形態では、２つの指標値の分布を一目瞭然で把握することが可能になるので、観察効率がさらに向上する。例えば、プラークの存在する位置において実際に冠動脈CAの狭窄が生じているかどうかについて、本実施形態の性状マップ画像IMのみから把握することが可能になる。
【００５２】
なお、本実施形態では、性状マップ画像IMが疑似３次元的な表現となっているため、性状マップ画像IMを見る視点に対して奥側（裏側）の位置は観察しづらくなってしまう。そこで、性状マップ画像IMを見る視点や視線方向を設定、変更できるようにしておくことが好ましい。これにより、ユーザは、性状マップ画像IMを回転させながら観察することが可能になる。
【００５３】
本発明の第４の実施形態は、冠動脈の芯線に対する直交断面画像と性状マップ画像とを連携表示させる態様である。図９は、本発明の第４の実施形態となる医用画像処理に関連する部分を示すブロック図である。図に示すように、本実施形態における医用画像処理は、第１の実施形態と同様の、冠動脈抽出部３１、芯線抽出部３２、指標値算出部３３、マップ画像生成部３４、表示制御部３５の他、直交断面画像生成部３６、断面位置変更受付部３７によって実現される。また、３次元医用画像Ｖ、冠動脈情報CA、芯線情報CL、指標値IDXm,n、性状マップ画像IM、断面位置情報PR、直交断面画像ISは、各々、上記各処理部によって、画像処理ワークステーション３の所定のメモリ領域に対して読み書きされるデータである。
【００５４】
図１０は、本実施形態における医用画像処理ソフトウェアの実行下でのユーザの操作や、演算処理、表示処理等の流れを示したフローチャートである。図に示したように、ステップ#11から#15は第１の実施形態のステップ#1から#5（図３）と同様である。
【００５５】
次に、直交断面画像生成部３６は、公知の手法を用いて、３次元医用画像Ｖから、冠動脈CAの芯線CL上の所与の基準点（断面位置）を通り、その基準点における芯線CLに垂直な断面による直交断面画像ISを生成する(#16)。図１１は、生成された冠動脈CAの直交断面画像ISの一例を表したものである。なお、基準点（断面位置）は、プログラムの起動パラメータ等によって与えられたデフォルトの位置、例えば、性状マップ画像IMの原点Ｏに対応する位置や、性状マップ画像IMの芯線CLの方向における画像化範囲の中間位置（図４の点P0とPMの中点）、プラークが最も集中している位置、冠動脈CAが最も狭窄している位置とすることができる。ここで、性状マップ画像IMが極座標系に基づく画像である場合には、直交断面画像生成部３６は、性状マップ画像IM中の基準軸y0（図６Ａ参照）と、基準軸y0に対応する直交断面画像ISの軸Ｄ0（図１１参照；図５Ａおよび５Ｂの視線VL0に対応する）とが同じ向きになるように、直交断面画像ISを生成する。
【００５６】
表示制御部３５は、マップ画像生成部３４によって生成された性状マップ画像IMと、直交断面画像生成部３６によって生成された直交断面画像ISとを並べて、画像処理ワークステーション３のディスプレイモニタの所定の位置に表示させる(#17)。このとき、図１２Ａの極座標系の性状マップ画像IMに示したように、基準点の位置（直交断面の位置）に対応する円周PR1を視認可能な態様で（ここでは点線）表示させるようにしてもよい。また、図１２Ｂに示したように、直交座標系の性状マップ画像IMでは、基準点の位置は直線PR2で表される。
【００５７】
ここで、断面位置変更受付部３７は、性状マップ画像IMの任意の位置を指定する操作（例えば、マウスのクリック操作）を検知し、その指定された位置に対応する芯線CL上の位置PRを特定し、所定のメモリ領域に格納する(#18)。
【００５８】
直交断面画像生成部３６は、その特定された芯線CL上の位置PRを読み込み、その位置PRを通る直交断面画像ISを再生成し(#19)、表示制御部３５が、直交断面画像ISの表示を再生成後のものに更新する(#20)。このとき、図１２Ａや図１２Ｂの性状マップ画像IM中に示された、基準点の位置に対応する円周PR1や直線PR2の表示も、断面位置変更受付部３７によって特定された位置PRに対応する位置に更新する。
【００５９】
以上のように、本発明の第４の実施形態によれば、直交断面画像生成部３６が、所与の基準点における芯線CLに垂直な断面による直交断面画像ISを生成し、表示制御部３５が、性状マップ画像IM上での基準点の位置を視認可能な態様で表しつつ、性状マップ画像IMと直交断面画像ISを表示させることができる。したがって、ユーザは、性状マップ画像IMと直交断面画像ISの位置的な対応関係を容易に把握しながら、両画像を観察することができるので、冠動脈CAのより精緻な観察を効率的に行うことが可能になる。
【００６０】
また、性状マップ画像IMが極座標系に基づくものである場合、直交断面画像生成部３６は、性状マップ画像IM中の基準軸y0と、基準軸y0に対応する直交断面画像ISの軸Ｄ0とが同じ向きになるように、直交断面画像ISを生成するので、性状マップ画像IMと直交断面画像ISの円周方向の位置（中心角）が合わせられた状態で両画像を観察することができる。
【００６１】
なお、上記実施形態において、極座標系の性状マップ画像IM、および／または、直交断面画像ISを、芯線CLに対応する位置を中心としてその画像の平面上で回転させる操作を受け付けるようにし、一方の画像で受け付けた上記回転操作に応じて、他方の画像も同様の回転を行うようにしてもよい。これにより、上記回転操作に対しても、両画像の表示を連動させることが可能になる。
【００６２】
本発明の第５の実施形態は、冠動脈の芯線に沿ったＣＰＲ画像と性状マップ画像とを連携表示させる態様である。図１３は、本発明の第５の実施形態となる医用画像処理に関連する部分を示すブロック図である。図に示すように、本実施形態における医用画像処理は、第１の実施形態と同様の、冠動脈抽出部３１、芯線抽出部３２、指標値算出部３３、マップ画像生成部３４、表示制御部３５の他、ＣＰＲ画像生成部３８、画像化範囲変更受付部３９によって実現される。また、３次元医用画像Ｖ、冠動脈情報CA、芯線情報CL、指標値IDXm,n、性状マップ画像IM、ＣＰＲ画像IC、性状マップ画像IMに表されている冠動脈CAの芯線CL方向における範囲であるマップ画像化範囲RMは、各々、上記各処理部によって、画像処理ワークステーション３の所定のメモリ領域に対して読み書きされるデータである。
【００６３】
図１４は、本実施形態における医用画像処理ソフトウェアの実行下でのユーザの操作や、演算処理、表示処理等の流れを示したフローチャートである。図に示したように、ステップ#31から#34は第１の実施形態のステップ#1から#4（図３）と同様である。
【００６４】
次に、ＣＰＲ画像生成部３８は、公知の手法を用いて、３次元医用画像Ｖから、冠動脈CAの芯線CL上に沿った曲面によるＣＰＲ画像ICを生成する(#35)。図１５は、生成された冠動脈CAのＣＰＲ画像ICの一例を表したものである。なお、図は、ストレートＣＰＲ手法によって生成された画像を表しているが、ストレッチＣＰＲ等の他のＣＰＲ手法も採用可能である。また、ＣＰＲ画像ICの画像化範囲は、プログラムの起動パラメータ等によって与えられる。
【００６５】
ここで、画像化範囲変更受付部３９は、性状マップ画像IMに表す冠動脈CAの芯線CL方向における範囲であるマップ画像化範囲を設定する操作を検知し、検知されたマップ画像化範囲RMを所定のメモリ領域に格納する(#36)。具体的には、例えば、図１５に示したように、マップ画像化範囲RMを表す矩形枠をマウス等を用いて描画する操作を画像化範囲変更受付部３９が検知し、その矩形に含まれる芯線CLの範囲をマップ画像化範囲RMとして特定する。このとき、必要に応じて、ＣＰＲ画像ICと性状マップ画像IMとで芯線CL方向の位置の対応関係に基づいて座標値の変換を行う。
【００６６】
そして、マップ画像生成部３４は、指標値IDXm,n、および、画像化範囲変更受付部３９によって設定されたマップ画像化範囲RMに基づいて、上記第１の実施形態と同様にして性状マップ画像IMを生成し(#37)、表示制御部３５は、マップ画像生成部３４によって生成された性状マップ画像IMと、ＣＰＲ画像生成部３８によって生成されたＣＰＲ画像ICとを並べて、画像処理ワークステーション３のディスプレイモニタの所定の位置に表示させる(#38)。
【００６７】
さらに、画像化範囲変更受付部３９は、性状マップ画像IMのマップ画像化範囲を変更する操作を検知し、変更後のマップ画像化範囲RMを所定のメモリ領域に格納する(#39)。具体的には、マウス等のドラッグ操作によって、図１５に示した矩形枠RMを芯線CL方向に拡大・縮小する操作や、矩形枠RMを芯線CLに沿って移動させる操作等を画像化範囲変更受付部３９が検知し、操作後の矩形枠RMに基づいて、その操作後の矩形枠RMに含まれる芯線CLの範囲を、変更後のマップ画像化範囲RMとして特定する。
【００６８】
マップ画像生成部３４は、変更後のマップ画像化範囲RMに基づいて性状マップ画像IMを再生成し(#40)、表示制御部３５が、性状マップ画像IMの表示を再生成後のものに更新する(#41)。このとき、ＣＰＲ画像IC上のマップ画像化範囲を表す矩形枠RMの表示も更新する。
【００６９】
以上のように、本発明の第５の実施形態によれば、ＣＰＲ画像生成部３８が、芯線CLに沿ったＣＰＲ画像ICを生成し、表示制御部３５が、ＣＰＲ画像IC上での性状マップ画像IMの画像化範囲RMを視認可能な態様で表しつつ、性状マップ画像IMとＣＰＲ画像ICを表示させることができる。したがって、ユーザは、性状マップ画像IMとＣＰＲ画像ICの位置的な対応関係を容易に把握しながら、両画像を観察することができるので、冠動脈CAのより精緻な観察を効率的に行うことが可能になる。
【００７０】
上記実施形態では、ＣＰＲ画像IC中に性状マップ画像MIの画像化範囲を表示させているが、ＣＰＲ画像ICの画像化範囲が性状マップ画像MIの画像化範囲よりも狭い場合には、性状マップ画像MI中にＣＰＲ画像ICの画像化範囲を表示させるようにしてもよい。この場合には、性状マップ画像MI中でＣＰＲ画像ICの画像化範囲の拡大、縮小、移動の操作を受け付け、それに応じてＣＰＲ画像ICを再生成し、各画像の表示を更新するようにすればよい。このような態様では、性状マップ画像MIで冠動脈CAを広域的に観察し、ＣＰＲ画像ICで局所的に詳細な観察を行うという観察フローに適した画像の表示が実現される。
【００７１】
本発明の第６の実施形態は、直交断面画像とＣＰＲ画像と性状マップ画像とを連携表示させる態様である。図１６は、本発明の第６の実施形態となる医用画像処理に関連する部分を示すブロック図である。図に示すように、本実施形態における医用画像処理は、第１の実施形態と同様の、冠動脈抽出部３１、芯線抽出部３２、指標値算出部３３、マップ画像生成部３４、表示制御部３５の他、第４の実施形態と同様の直交断面画像生成部３６、第５の実施形態と同様の、ＣＰＲ画像生成部３８、画像化範囲変更受付部３９、さらに、マップ条件選択受付部４０、注目点入力受付部４１によって実現される。また、３次元医用画像Ｖ、冠動脈情報CA、芯線情報CL、指標値IDXm,n、性状マップ画像IM、直交断面画像IS、ＣＰＲ画像IC、マップ画像化範囲RM、マップ条件MC、注目点POIは、各々、上記各処理部によって、画像処理ワークステーション３の所定のメモリ領域に対して読み書きされるデータである。
【００７２】
本実施形態では、まず、第５の実施形態の処理フローにおけるステップ#31から#37までと同様にして、デフォルトの条件でのＣＰＲ画像ICおよび、ユーザによって設定されたマップ画像化範囲の性状マップ画像IMが生成される。次に、第４の実施形態の処理フローにおけるステップ#16と同様にして、デフォルト位置（ここではマップ画像化範囲RMの中間位置）での直交断面画像ISが生成される。そして、表示制御部３５が、生成された性状マップ画像IMと直交断面画像ISとＣＰＲ画像ICを並べて画像処理ワークステーション３のディスプレイモニタに表示させる。
【００７３】
図１７は表示される画面の一例を模式的に表したものである。図に示したように、ＣＰＲ画像ICには、性状マップ画像MIの画像化範囲を表す矩形枠RMと、直交断面画像ISの断面位置を表す補助線L-S2が重畳表示されている。また、性状マップ画像IMには、ＣＰＲ画像ICの曲面を表す補助線L-CPR1と、直交断面画像ISの断面位置を表す補助線L-S1が重畳表示されている。さらに、直交断面画像ISには、ＣＰＲ画像ICの曲面を表す補助線L-CPR2が重畳表示されている。なお、本実施形態では、第４の実施形態と同様に、性状マップ画像IM中の軸Ｄ0の向きは、直交断面画像ISにおける軸Ｄ0の向きにおける指標値IDXm,nが表示されるように、円周方向の位置が合わせられている。
【００７４】
ここで、第５の実施形態のステップ#39と同様に、画像化範囲変更受付部３９が、ＣＰＲ画像IC上でマップ画像化範囲RMを変更する操作を検知した場合、マップ画像生成部３４が、変更後のマップ画像化範囲RMに基づいて性状マップ画像IMを再生成するだけでなく、直交断面画像生成部３６が、変更後のマップ画像化範囲RMの中間位置を新たな直交断面の位置として、直交断面画像ISを再生成する。すなわち、本実施形態では、マップ画像化範囲と直交断面の位置関係が固定されている。
【００７５】
そして、この位置関係を変更したい場合、本実施形態では、ユーザが、画面に表示されたメニュー（図示なし）から「マップ条件の変更」を選択する操作を行うと、マップ条件選択受付部４０は、図１８に例示した設定画面を表示させる。図に示したように、ユーザは、この画面でマップ画像化範囲と直交断面の位置関係を選択することができる。図１７の表示例は、「直交断面の前後の性状マップを均等に表示」が選択された状態を表しており、直交断面の位置はマップ画像化範囲RMの中間位置となっている。ここで、ユーザが、例えば、「直交断面の前方の性状マップを重点的に表示」をマップ条件として選択すると、マップ条件選択受付部４０は、その選択を受け付け、マップ条件MCを所定のメモリ領域に出力する。マップ画像生成部３４は、選択されたマップ条件MCを読み込み、マップ画像化範囲RMを直交断面の位置L-S2の前方（図１７の右側とする）が広く（長く）なるように変更し、変更後のマップ画像化範囲RMに基づいて性状マップ画像IMを再生成し、表示制御部３５は、性状マップ画像IMの表示を再生成後のものに更新するとともに、性状マップ画像IM上の補助線L-S1や、ＣＰＲ画像IC上の矩形枠RMの表示も更新する。
【００７６】
図１９は、マップ条件の選択を変更した後の性状マップ画像IMと直交断面画像ISとＣＰＲ画像ICの表示例を表したものである。図に示したように、ＣＰＲ画像IC上では、直交断面の位置L-S2は変更されず、マップ画像化範囲を表す矩形枠RMのみが変更されている。性状マップ画像IMでは、直交断面の位置L-S1における指標値IDXm,nが同心円の半径が小さい位置に移動し、直交断面の位置L-S1よりも前方（ＣＰＲ画像ICでは右側）における指標値IDXm,nが、同心円L-S1の外側に表されている。一方、直交断面の位置自体は移動していないので、直交断面画像ISの表示は図１７と同じである。
【００７７】
一方、図１８の設定画面において、ユーザが「直交断面の後方の性状マップを重点的に表示」をマップ条件として選択した場合には、上記と逆に、ＣＰＲ画像IC上では、マップ画像化範囲を表す矩形枠RMが、直交断面の位置L-S2の左側が長くなるように移動し、性状マップ画像IMでは、直交断面の位置L-S1における指標値IDXm,nが同心円の半径が大きい位置に移動し、直交断面の位置L-S1よりも後方（ＣＰＲ画像ICでは左側）における指標値IDXm,nが、同心円L-S1の内側に表される。
【００７８】
このように、本実施形態では、マップ画像化範囲と直交断面の位置関係をユーザが選択できるようにしたので、ユーザの嗜好に応じた性状マップ画像IMとＣＰＲ画像ICと直交断面画像ISの連携表示が可能になる。
【００７９】
なお、マップ条件の変更のためのユーザインターフェースは、図１８に例示したものには限定されない。例えば、図１７のＣＰＲ画像ICと同様のユーザインターフェースで、ユーザのマウス操作等によって、マップ画像化範囲を表す矩形枠RM、または、直交断面位置L-S2を所望の位置関係となるように移動させることによって、マップ画像化範囲と直交断面の位置関係の設定を行うようにしてもよい。
【００８０】
また、図２０に示したように、ユーザが、性状マップ画像IMの注目点POIを指定する操作（例えば、マウスのボタンを押下し続ける操作）を行うと、注目点入力受付部４１がその操作を検知し、その指定された位置に対応する芯線CL上の位置および上記放射状の視線VLnの方向を特定し、所定のメモリ領域に格納する。直交断面画像生成部３６は、その特定された芯線CL上の位置を読み込み、その位置を通る直交断面画像IS′を再生成する。一方、ＣＰＲ画像生成部３８は、その特定された芯線CL上の位置において、その特定された上記放射状の視線VLnの方向を通る曲面を特定し、特定された曲面によるＣＰＲ画像IC′を再生成する。そして、表示制御部３５は、ユーザが上記操作を続けている間は、直交断面画像IS′およびＣＰＲ画像IC′に表示を更新するとともに、ＣＰＲ画像IC′上に注目点POIに対応する直交断面位置を表す補助線L-S2′をさらに重畳表示させ、性状マップ画像IM上に、注目点POIに対応する直交断面位置を表す補助線L-S1′やＣＰＲ画像IC′の曲面を表す補助線L-CPR1′をさらに重畳表示させ、直交断面画像IS′上にＣＰＲ画像IC′の曲面を表す補助線L-CPR2′をさらに重畳表示させる。ユーザが上記操作を中止した場合には、表示制御部３５は、表示をもとの図１７の状態に戻す。
【００８１】
このように、本実施形態では、性状マップ画像IM上での注目点POIの指定と連携して、その注目点POIに対応する直交断面画像やＣＰＲ画像を表示させることが可能になり、操作性が向上する。マップ画像化範囲と直交断面の位置関係をユーザが選択できるようにしたので、ユーザの嗜好に応じた性状マップ画像IMとＣＰＲ画像ICと直交断面画像ISの連携表示が可能になる。
【００８２】
なお、上記実施形態では、特定の操作状態の継続中にのみ注目点POIの位置に対応するＣＰＲ画像IC′と直交断面画像IS′の表示を行うようにしているが、例えば、マウスのクリック操作のように完結した操作に応じて、これらの画像を別の画面（ウィンドウ）に表示させるようにしてもよい。
【００８３】
上記実施形態では、極座標系による性状マップ画像IMを生成するようにしていたが、直交座標系による性状マップ画像MIでも同様のことが可能である。図２１Ａは、図１７の初期状態における直交座標系による性状マップ画像MIの表示例を表したものである。図に示したように、本実施形態では、上記放射状の視線VLnの方向を表すｙ軸の位置を直交断面の位置L-S1と一致させている。また、ＣＰＲ画像ICの曲面は、２本の補助線L-CPR11、L-CPR12で表される。この場合、図１８のユーザインターフェースで「直交断面の前方の性状マップを重点的に表示」にマップ条件MCが変更されると、図２１Ｂに示したように、ｙ軸自体が左側に移動し、ｙ軸として表された直交断面の位置L-S1よりも前方（ＣＰＲ画像ICでは右側）における指標値IDXm,nが重点的に画像化される。また、直交座標系による性状マップ画像IM上で注目点POIが指定された場合も、図２１Ｃに示したように、上記実施形態と同様の連携表示が可能である。この場合、直交断面の当初の位置を表すｙ軸自体は移動せず、注目点POIに対応する直交断面の位置を表す補助線L-S1′、および、注目点POIに対応するＣＰＲ画像の曲面を表す補助線L-CPR11、L-CPR12がさらに重畳表示される。
【００８４】
なお、上記実施形態においても、第４の実施形態と同様の断面位置変更受付部３７を設け、マップ画像化範囲RMと直交断面位置とを独立して変更できるようにしてもよい。
【００８５】
上記の各実施形態はあくまでも例示であり、上記のすべての説明が本発明の技術的範囲を限定的に解釈するために利用されるべきものではない。また、上記の実施形態におけるシステム構成、ハードウェア構成、処理フロー、モジュール構成、ユーザインターフェースや具体的処理内容等に対して、本発明の趣旨から逸脱しない範囲で様々な改変を行ったものも、本発明の技術的範囲に含まれる。
【００８６】
例えば、本発明の実施形態は、各実施形態の特徴的構成を適宜組み合わせた実施形態であってもよい。具体例としては、上記第４、第５、第６の実施形態において、上記第３の実施形態のように２つの指標値を表す性状マップ画像を生成、表示するようにした実施形態が考えられる。
【００８７】
また、上記各実施形態において、指標値算出部３３が、性状マップ画像MIの画像化範囲内の冠動脈CA全体について、プラークの種類別に体積を算出したり、平均狭窄率を算出したりするようにし、算出されたプラークの体積や平均狭窄率を、性状マップ画像MI等とともに画像処理ワークステーション３のディスプレイモニタに表示させるようにしてもよい。
【００８８】
また、マップ画像生成部３４は、芯線CL方向において、表示範囲よりも広い範囲における冠動脈CAの性状を表す広域性状マップ画像を予め生成しておき、予め与えられた、あるいは、ユーザによって指定された画像化範囲を広域性状マップ画像から切り出すことによって性状マップ画像IMを生成するようにしてもよい。
【００８９】
また、上記実施形態では、画像化範囲変更受付部３９は、マップ画像化範囲をユーザ操作に応じて変更するようにしているが、自動的にマップ画像化範囲を順次変更していくようにしてもよい。
【００９０】
また、性状マップ画像IM上でマップ画像化範囲の変更する操作を受け付けるようにしてもよい。図２２Ａはこの操作の具体例を模式的に表したものである。図に示したように、性状マップ画像IMの任意の位置Q1を指定し、その指定された位置Q1を半径方向（図の矢印の方向）に移動させる操作（例えばマウスのドラッグ操作）を検知すればよい。この操作が検知された場合、その指定された位置Q1に対応する芯線CL上の位置（図の破線の円周の半径）を特定するとともに、その位置の移動後の芯線CL上の位置（図の一点鎖線の円周の半径）を特定し、その移動方向（原点Ｏに向かう向き）および移動量（移動前後での半径の差）に基づいて、変更後の芯線CLの方向における画像化範囲RMを特定すればよい。図２２Ａの例では、図の矢印の長さの分だけ、図４の芯線CLの点P0からPMに向かう向きに画像化範囲を移動させる操作が行われたことになり、変更後の画像化範囲に基づいて再生成された性状マップ画像MIは、図４の点PMより先の位置における冠動脈CAの性状がマッピングされたものとなっている。なお、例えば、点Q1を原点Ｏから遠ざかる向きに移動させる操作が検知された場合には、図４の芯線CLの点PMからP0に向かう方向に画像化範囲を移動させる操作が行われたことになり、再生成された性状マップ画像MIは、図４の点P0より前の位置における冠動脈CAの性状がマッピングされたものとなる。
【００９１】
図２２Ｂは直交座標系の性状マップ画像IM中で画像化範囲を変更する操作の具体例を模式的に表したものである。図に示したように、性状マップ画像IMの任意の位置Q2を指定し、その指定された位置Q2をｘ軸方向（図の矢印の方向）に移動させる操作（例えばマウスのドラッグ操作）が検知された場合、その指定された位置Q2の移動前後でのｘ座標を特定し、その移動方向（図では原点Ｏに向かう向き）および移動量（移動前後でのｘ座標値の差）に基づいて、変更後の芯線CLの方向における画像化範囲RMを特定する。図２２Ｂの例では、図の矢印の長さの分だけ、図４の芯線CLの点P0からPMに向かう向きに画像化範囲を移動させる操作が行われたことになる。そして、この操作に応じて再生成された性状マップ画像MIは、図４の点PMより先の位置における冠動脈CAの性状がマッピングされたものとなる。一方、点Q2を原点Ｏから遠ざかる向きに移動させる操作が検知された場合には、図４の芯線CLの点PMからP0に向かう方向に画像化範囲を移動させる操作が行われたことになり、再生成された性状マップ画像MIは、図４の点P0より前の位置における冠動脈CAの性状がマッピングされたものとなる。
【００９２】
また、上記各実施形態では、人体の冠動脈を観察対象としているが、他の血管や、気管、気管支等の他の管状構造物を観察対象とする場合にも本発明は適用可能である。
【符号の説明】
【００９３】
３１  冠動脈抽出部
３２  芯線抽出部
３３  指標値算出部
３４  マップ画像生成部
３５  表示制御部
３６  直交断面画像生成部
３７  断面位置変更受付部
３８  ＣＰＲ画像生成部
３９  画像化範囲変更受付部
４０  マップ条件選択受付部４０
４１  注目点入力受付部
【図１】
0005309109.tif 000002
【図２】
0005309109.tif 000003
【図３】
0005309109.tif 000004
【図４】
0005309109.tif 000005
【図５Ａ】
0005309109.tif 000006
【図５Ｂ】
0005309109.tif 000007
【図６Ａ】
0005309109.tif 000008
【図６Ｂ】
0005309109.tif 000009
【図９】
0005309109.tif 000010
【図１０】
0005309109.tif 000011
【図１１】
0005309109.tif 000012
【図１３】
0005309109.tif 000013
【図１４】
0005309109.tif 000014
【図１５】
0005309109.tif 000015
【図１６】
0005309109.tif 000016
【図１８】
0005309109.tif 000017
【図７Ａ】
0005309109.tif 000018
【図７Ｂ】
0005309109.tif 000019
【図８Ａ】
0005309109.tif 000020
【図８Ｂ】
0005309109.tif 000021
【図１２Ａ】
0005309109.tif 000022
【図１２Ｂ】
0005309109.tif 000023
【図１７】
0005309109.tif 000024
【図１９】
0005309109.tif 000025
【図２０】
0005309109.tif 000026
【図２１Ａ】
0005309109.tif 000027
【図２１Ｂ】
0005309109.tif 000028
【図２１Ｃ】
0005309109.tif 000029
【図２２Ａ】
0005309109.tif 000030
【図２２Ｂ】
0005309109.tif 000031